(57)【要約】【課題】  外部入力端子から入力された映像信号の状態に基づいて電源をオフにする自動電源オフ機能を備え、効果的に省電力化を図れるとともにプラズマディスプレイにおける画面の焼き付けの問題を解消できる映像表示装置を提供する。【解決手段】  外部入力端子からの映像信号を解析する映像信号解析手段と、映像信号解析手段における解析結果に基づいて、電源供給手段による電源供給を停止させる電源制御手段と、を備え、映像信号解析手段は、入力された映像信号が有効な映像信号か無効な映像信号かを判断し、電源制御手段は、映像信号解析手段により映像信号が無効な映像信号であると判断された場合に、前記電源供給手段による電源供給を停止させるようにした。【選択図】  図２
2008085526.tif 000002
【特許請求の範囲】
【請求項１】
外部機器からの映像信号を入力可能な外部入力端子と、
前記外部入力端子から入力された映像信号に基づいて映像を表示する表示手段と、
装置内の各ブロックへ電源を供給する電源供給手段と、を備えた映像表示装置であって、
前記外部入力端子からの映像信号を解析する映像信号解析手段と、
前記映像信号解析手段における解析結果に基づいて、前記電源供給手段による電源供給を停止させる電源制御手段と、を備え、
前記映像信号解析手段は、前記入力された映像信号に基づいて画像の動きを検出する動き検出手段又は前記入力された映像信号に基づいて映像レベルの変化を検出する映像レベル検出手段を有し、前記動き検出手段により画像の動きが検出されない場合又は前記映像レベル検出手段により映像レベルの変化が検出されない場合に無効な映像信号であると判断し、
前記電源制御手段は、前記映像信号解析手段により映像信号が所定時間無効な状態を継続したと判断された場合に、前記電源供給手段による電源供給を停止させることを特徴とする映像表示装置。
【請求項２】
外部機器からの映像信号を入力可能な外部入力端子と、
前記外部入力端子から入力された映像信号に基づいて映像を表示する表示手段と、
装置内の各ブロックへ電源を供給する電源供給手段と、を備えた映像表示装置であって、
前記外部入力端子からの映像信号を解析する映像信号解析手段と、
前記映像信号解析手段における解析結果に基づいて、前記電源供給手段による電源供給を停止させる電源制御手段と、を備え、
前記映像信号解析手段は、前記入力された映像信号が有効な映像信号か無効な映像信号かを判断し、
前記電源制御手段は、前記映像信号解析手段により映像信号が無効な映像信号であると判断された場合に、前記電源供給手段による電源供給を停止させることを特徴とする映像表示装置。
【請求項３】
前記映像信号解析手段は、前記入力された映像信号に基づいて画像の動きを検出する動き検出手段を有し、前記動き検出手段により動きが検出されない場合に無効な映像信号であると判断することを特徴とする請求項２に記載の映像表示装置。
【請求項４】
前記映像信号解析手段は、前記入力された映像信号に基づいて映像レベルの変化を検出する映像レベル検出手段を有し、前記映像レベル検出手段により映像レベルの変化が検出されない場合に無効な映像信号であると判断することを特徴とする請求項２に記載の映像表示装置。
【請求項５】
前記電源制御手段は、電源供給を停止させるまでの時間を設定可能であり、前記映像信号解析手段により映像信号が所定時間無効な状態を継続したと判断された場合に、前記電源供給手段による電源供給を停止させることを特徴とする請求項２から４の何れかに記載の映像表示装置。
【発明の詳細な説明】
【技術分野】
【０００１】
本発明は、ＤＶＤプレイヤー／レコーダやセット・トップ・ボックス（ＳＴＢ）等の外部ＡＶ機器からの映像信号を入力可能な外部入力端子を備え、この外部入力端子から入力された映像信号に基づいて映像を表示可能なテレビジョン受像機等の映像表示装置に関し、特に、外部入力端子から入力される映像信号の状態に基づいて映像表示装置の電源をオフにする自動電源オフ機能に関する。
【背景技術】
【０００２】
従来、テレビジョン受像機等の映像表示装置において、消費電力を削減して省電力化を図る目的で、自動的に電源をオフする技術が提案されている（特許文献１，２）。例えば、リモコン等の入力装置によるチャンネル切り換えや音量調整等の操作が一定時間行われなかった場合に電源をオフする「無操作電源オフ」や、放送が終了して一定時間テレビジョン放送信号（映像信号）が入力されなかった場合に電源をオフする「無信号電源オフ」と呼ばれる機能が知られている。
【特許文献１】特開２００６−０１９９６９号公報
【特許文献２】特開２０００−３５８２０３号公報
【発明の開示】
【発明が解決しようとする課題】
【０００３】
ところで、上述した無操作電源オフ機能や無信号電源オフ機能は、映像表示装置に設けられた内蔵チューナでテレビジョン放送信号を受信して、このテレビジョン放送信号に基づく映像を表示している場合や、映像表示装置に接続される外部ＡＶ機器においては効果を期待できる。
【０００４】
しかしながら、映像表示装置において、セット・トップ・ボックス（ＳＴＢ）やＤＶＤプレイヤー／レコーダ等の外部ＡＶ機器からの映像信号を外部入力端子から入力され、この入力された映像信号に基づいて映像を表示している場合には、従来の自動電源オフ機能は必ずしも有効であるとはいえない。
【０００５】
すなわち、外部ＡＶ機器のチューナでテレビジョン放送信号を受信させ、映像表示装置の外部入力端子から前記テレビジョン放送信号に基づく映像信号を入力させる視聴形態を構成している場合、外部ＡＶ機器側でチャンネル切り換えは行われる。つまり、映像表示装置側では、外部入力チャンネル（ビデオ１，ビデオ２等）が選択・固定されることとなり、チャンネルの切り換えは行われない。したがって、このような視聴形態では、映像表示装置において長時間無操作の場合が想定されるので、上述した無操作電源オフ機能を有効に設定することは困難である。
【０００６】
また、通常、ＳＴＢやＤＶＤプレイヤー／レコーダは、テレビジョン放送信号を受信していない無信号時（放送終了後）、或いはＤＶＤビデオの再生終了時において、単色画面（ブラックバックやブルーバック）若しくは静止画（背景画やＤＶＤビデオのメニュー画面）を出力している。すなわち、外部ＡＶ機器においてテレビジョン放送信号が受信されなくなったり、ＤＶＤビデオの再生が終了したりしても、外部ＡＶ機器からは強制的に映像信号が出力されるので、映像表示装置側では映像信号が入力されない無信号状態にはならい。したがって、従来の無信号電源オフ機能によっては自動的に電源をオフさせることはできない。
【０００７】
また、ＤＶＤビデオの再生終了時にメニュー画面等の静止画が長時間表示され続けると、プラズマディスプレイ（ＰＤＰ）では画面の焼き付けを生じる虞がある。
【０００８】
本発明は、外部入力端子から入力された映像信号の状態に基づいて電源をオフにする自動電源オフ機能を備え、効果的に省電力化を図れるとともにプラズマディスプレイにおける焼き付けの問題を解消できる映像表示装置を提供することを目的とする。
【課題を解決するための手段】
【０００９】
本発明は、上記目的を達成するためになされたもので、外部機器からの映像信号を入力可能な外部入力端子と、前記外部入力端子から入力された映像信号に基づいて映像を表示する表示手段（例えば、プラズマディスプレイ）と、装置内の各ブロックへ電源を供給する電源供給手段と、を備えた映像表示装置であって、前記外部入力端子からの映像信号を解析する映像信号解析手段と、前記映像信号解析手段における解析結果に基づいて、前記電源供給手段による電源供給を停止させる電源制御手段と、を備え、前記映像信号解析手段は、前記入力された映像信号が有効な映像信号か無効な映像信号かを判断し、前記電源制御手段は、前記映像信号解析手段により映像信号が無効な映像信号であると判断された場合に、前記電源供給手段による電源供給を停止させることを特徴とする。すなわち、映像表示装置において外部入力チャンネルを選択して視聴しているときに、放送が終了したりＤＶＤビデオの再生が終了したりしたときに装置の電源をオフさせるようにした。
【００１０】
また、前記映像信号解析手段は、前記入力された映像信号に基づいて画像の動きを検出する動き検出手段を有し、前記動き検出手段により画像の動きが検出されない場合に無効な映像信号であると判断するようにした。これにより、ＤＶＤビデオのメニュー画面等の静止画表示やブルーバック画面やブラックバック画面の表示を容易に検出できる。また、一般的な映像表示装置に設けられている動き検出回路を利用することができるので、新たに検出回路を追加する必要はない。
【００１１】
また、前記映像信号解析手段は、前記入力された映像信号に基づいて映像レベルの変化（例えば、水平方向の輝度）を検出する映像レベル検出手段を有し、前記映像レベル検出手段により映像レベルの変化が検出されない場合に無効な映像信号であると判断するようにした。これにより、ＤＶＤビデオのメニュー画面等の静止画表示を検出することはできないが、映像レベルの変化によりブルーバック画面やブラックバック画面の表示を判断することはできる。また、映像表示装置に新たに動き検出回路を設けるよりはコストを抑えることができる。
【００１２】
さらに、前記電源制御手段は、電源供給を停止させるまでの時間を設定可能で、前記映像信号解析手段により映像信号が所定時間無効な状態を継続したと判断された場合に、前記電源供給手段による電源供給を停止させるようにした。これにより、前記外部入力端子に接続されている外部機器の種類に応じて電源オフまでの時間を設定できるので、自動電源オフ機能を効果的に利用することができる。例えば、外部機器としてＳＴＢが接続されている場合、ＳＴＢから入力された映像信号が無効であることは放送が終了していることに他ならないので、電源オフさせるまでの時間を短く（例えば、分単位）設定することで、効率よく省電力化を図ることができる。
【００１３】
なお、上述した電源オフ機能の有効／無効を設定できるように構成してもよい。例えば、ＤＶＤプレイヤー／レコーダの場合には自動電源オフさせたくなく、ＳＴＢの場合にのみ自動電源オフさせたいという場合に便利である。
【発明の効果】
【００１４】
本発明によれば、映像表示装置において、外部入力端子からの映像信号を解析する映像信号解析手段と、映像信号解析手段における解析結果に基づいて電源供給手段による電源供給を停止させる電源制御手段と、を備え、映像信号解析手段は外部入力された映像信号が有効な映像信号か無効な映像信号かを判断し、電源制御手段は映像信号解析手段により映像信号が無効な映像信号であると判断された場合に所定時間経過後に電源供給手段による電源供給を停止させるようにしたので、映像表示装置において外部入力チャンネルを選択して視聴しているときでも自動的に電源オフさせることが可能となる。したがって、現状の自動電源オフ機能（無操作電源オフ機能、無信号電源オフ機能）と組み合わせることで、自動電源オフ機能を効果的に利用することができ、一層の省電力化を図ることができる。
【００１５】
また、映像表示装置の表示手段がプラズマディスプレイである場合に、メニュー画面等の静止画が長時間表示され続けて画面の焼き付けが生じるのを防止することができる。
【発明を実施するための最良の形態】
【００１６】
以下、本発明の実施の形態を図面に基づいて説明する。
図１は、本実施形態に係る映像表示装置としてのテレビジョン受像機１００の概略構成図である。
このディジタルテレビジョン受像機１００は、ディジタル／アナログチューナ１０と、入力切換部２０と、映像処理部３０と、表示部４０と、外部入力端子５０と、操作部６０と、リモコン７０と、制御部８０と、電源供給部９０と、を備える。
【００１７】
ディジタル／アナログチューナ１０は、アンテナを介して所定のチャンネルのディジタル／アナログテレビジョン放送信号を受信し、復調処理を施して元の映像信号を入力切替部２０に供給する。
【００１８】
入力切替部２０は、チューナ１０からの映像信号又は外部入力端子５０からの映像信号の何れかを映像処理部３０に供給する。例えば、操作部６０やリモコン７０によりテレビジョン放送のチャンネルが選択された場合はチューナ１０からの映像信号を映像処理部３０に供給する一方、外部入力のチャンネル（例えば、ビデオ１，ビデオ２）が選択された場合は外部入力端子５０からの映像信号を映像処理部３０に供給する。
【００１９】
映像処理部３０は、供給された映像信号に所定の信号処理を施して表示部（例えば、プラズマディスプレイ）４０に映像を出力する。例えば、供給された映像信号がディジタル映像信号の場合は、ディジタル信号処理やデコード処理等を行う。また、映像処理部３０は、現フレームと１フレーム前の映像信号から画像の動きを検出する動き検出回路（図示略）を有する。この動き検出回路には、周知技術を利用することができる。
【００２０】
外部入力端子５０は、ＨＤＭＩ端子やコンポーネント端子、コンポジット端子等、一般的なテレビジョン受像機が備える外部入力端子を含む。また、外部入力端子５０には、ＳＴＢやＤＶＤプレイヤー／レコーダ等のＡＶ機器が接続される。
【００２１】
制御部８０は、ＣＰＵと、ＲＡＭと、ＲＯＭと、を含んで構成される。ＲＯＭには、各種制御プログラムが格納されており、ＣＰＵはＲＡＭを作業領域として利用しつつ、ＲＯＭ内の制御プログラムに従って動作し、各ブロックを制御する。例えば、操作部６０からの操作信号に基づいて入力切替部２０の動作を制御したり、入力された映像信号の状態に基づいて電源供給手段９０の動作を制御したりする。
【００２２】
また、制御部８０には、複数の操作キーが設けられた操作部６０からの操作信号が入力される。操作部６０は、リモコン７０からの操作信号（例えば、赤外線信号）を受信可能なリモコン信号受信部を有し（図示略）、リモコン７０からの操作信号を制御部８０に入力可能に構成される。
【００２３】
電源供給部９０は、テレビジョン受像機１００を構成する各ブロックに電源を供給する。また、電源供給部９０は、電源供給制御手段としての制御部８０によって動作を制御可能に構成され、所定条件の成立に基づいて各ブロックへの電源供給を停止させるように制御される。
【００２４】
本実施形態では、制御部８０は、外部入力端子５０からの映像信号を解析する映像信号解析手段及び映像信号の解析結果に基づいて電源供給部９０による電源供給を停止させる電源制御手段として機能する。
【００２５】
図２は、本実施形態のテレビジョン受像機１００において実行される電源オフ制御処理について示したフローチャートである。
まず、ステップＳ１０１で、外部入力チャンネル（例えば、ビデオ１，ビデオ２）が選択されているか判定する。そして、外部入力チャンネルが選択されていない場合、すなわち、チューナ１０からの映像信号に基づいて映像を表示している場合は、そのまま処理を終了する。
【００２６】
一方、外部入力チャンネルが選択されていると判定した場合は、入力されている映像信号は有効か／無効かを判定する（ステップＳ１０２）。ここで、映像信号の有効／無効の判断は、映像信号解析手段としての制御部８０による映像信号の解析結果に基づいて行われる。具体的には、制御部８０は、動き検出回路において現フレームと１フレーム前の映像信号を比較し、フレーム差分から画像の動きを検出する。そして、画像の動きが検出された場合は有効な映像信号と判断し、画像の動きが検出されない場合は無効な映像信号であると判断する。
【００２７】
例えば、外部入力端子５０に接続された外部機器においてテレビジョン放送信号を受信していない無信号時（放送終了後）や、或いはＤＶＤビデオの再生終了時に出力される単色画面（ブラックバックやブルーバック）若しくは静止画（背景画やＤＶＤビデオのメニュー画面）の映像信号は、無効な映像信号と判断されることとなる。
【００２８】
そして、ステップＳ１０２で映像信号は有効であると判定した場合は、そのまま処理を終了する。一方、ステップＳ１０２で映像信号は無効であると判定した場合は、設定時間が経過したか判定する（ステップＳ１０３）。ここで、電源オフするまでの設定時間は、視聴者が任意に設定することができる。このとき、外部入力端子５０に接続されている外部機器の種類に応じて設定することで、電源オフ機能による効果をいっそう向上させることができる。例えば、外部入力端子５０にＳＴＢが接続されている場合には、映像信号が無効であることは放送が終了していることに他ならないので、比較的短時間（例えば、分単位）に設定することで、効率よく省電力化を図ることができる。
次いで、ステップＳ１０３で、設定時間が経過したと判定した場合は、電源をオフして（ステップＳ１０４）処理を終了する。
【００２９】
このように、本実施形態では、外部入力端子５０からの入力映像信号が有効な映像信号か無効な映像信号かを判断し、映像信号が無効な状態を所定時間継続した場合に、電源供給部９０による電源供給を停止させるようにしている。これにより、従来の自動電源オフ機能ではサポートされていなかった外部入力チャンネルの視聴時における自動電源オフを実現可能となる。
【００３０】
また、映像表示装置の表示手段がプラズマディスプレイである場合に、メニュー画面等の静止画が長時間表示され続けて画面の焼き付けが生じるのを防止することができる。
【００３１】
以上、本発明者によってなされた発明を実施形態に基づいて具体的に説明したが、本発明は上記実施形態に限定されるものではなく、その要旨を逸脱しない範囲で変更可能である。
例えば、上記実施形態では、画像の動き検出を利用して入力された映像信号が有効／無効を判断するようにしているが、映像レベルの変化（例えば、水平方向の輝度）に基づいて判断するようにしてもよい。この場合、ＤＶＤビデオのメニュー画面等の静止画表示を検出することはできないが、映像レベルの変化によりブルーバック画面やブラックバック画面の表示を判断することはできる。
【００３２】
また、本発明に係る自動電源オフ機能を、従来の自動電源オフ機能（無操作電源オフ機能、無信号電源オフ機能）と組み合わせて利用できる構成としてもよい。例えば、図２のフローチャートにおいて、ステップＳ１０１で外部入力チャンネルが選択されていないと判定した場合に、従来の自動電源オフ制御処理を実行させるようにすればよい。これにより、自動電源オフ機能をより効果的に利用することができ、一層の省電力化を図ることができる。
【００３３】
また、自動電源オフ機能の有効／無効を設定できるように構成してもよい。例えば、ＤＶＤプレイヤー／レコーダの場合には自動電源オフさせたくなく、ＳＴＢの場合にのみ自動電源オフさせたいという場合に便利である。
【図面の簡単な説明】
【００３４】
【図１】本実施形態に係る映像表示装置としてのテレビジョン受像機１００の概略構成図である。
【図２】本実施形態のテレビジョン受像機１００において実行される電源オフ制御処理について示したフローチャートである。
【符号の説明】
【００３５】
１０  ディジタル／アナログチューナ
２０  入力切替部
３０  映像処理部（動き検出回路）
４０  表示部（プラズマディスプレイ）
５０  外部入力端子（ＨＤＭＩ端子、コンポーネント端子、コンポジット端子）
６０  操作部
７０  リモコン
８０  制御部（映像信号解析手段、電源制御手段）
９０  電源供給部
１００  テレビジョン受像機
【図１】
2008085526.tif 000003
【図２】
2008085526.tif 000004